(57)【要約】【課題】プラグが回路基板から抜脱されることを防止し、且つ、プラグが抜脱されたとしてもその痕跡を残す。【解決手段】レセプタクル６５が設けられた遊技制御回路基板４４を収納する基板収納ケース４１は、上ケース４２及び下ケース４３とから構成され、開放されることのないよう封印されている。上ケース４２の上面に、プラグ７０をレセプタクル６５に差し込むための開口４５を、プラグ７０と略同じサイズに設ける。レセプタクル６５の外側面に、レセプタクル６５と対面する鉛直方向に延びたアーム部６６ａと、アーム部６６ａの下端をレセプタクル６５に連結する支持部６６ｂと、アーム部６６ａ上端に形成された係止爪６６ｃとから構成されるフック６６を設ける。プラグ７０がレセプタクル６５に差し込まれたとき、係止爪６６ｃが、プラグ７０の側面に一体成型される係止突起７０ａと係止する。【選択図】図４
2008176963.tif 000002
【特許請求の範囲】
【請求項１】
封印された収納ケース内の回路基板に設けられたレセプタクルに、前記収納ケースの表面に形成された差込み開口を介して差し込まれたプラグが、前記レセプタクルから抜脱されることを防止するプラグの抜脱防止機構であって、
前記プラグの側面には、係止部が形成され、
前記レセプタクルには、差し込まれた前記プラグの前記係止部と係止するロック部材が設けられており、
前記ロック部材は、前記収納ケース内に位置することを特徴とするプラグの抜脱防止機構。
【請求項２】
前記プラグには、前記レセプタクルと接続される端子側の反対側に、前記差込み開口の少なくとも一部を塞ぐ封止部が形成されていることを特徴とする請求項１記載のプラグの抜脱防止機構。
【請求項３】
前記封止部は、前記係止部が形成された側面の側に形成されていることを特徴とする請求項２記載のプラグの抜脱防止機構。
【発明の詳細な説明】
【技術分野】
【０００１】
本発明は、パチンコ機などの遊技機内に設けられた回路基板に接続されるプラグの抜脱を防止するプラグの抜脱防止機構に関する。
【背景技術】
【０００２】
パチンコ店などの遊技場に設置して使用される遊技機として、パチンコ機やスロットマシン（通称「パチスロ機」）などが挙げられる。これら遊技機は、遊技媒体としてパチンコ球やメダルなどを用いて遊技が行われる。遊技媒体には一定の価値が付加されているので、遊技者はより多くの遊技媒体を獲得することを目的として遊技を行うことになる。
【０００３】
例えば、スロットマシンでは、遊技中にビッグボーナス（ＢＢ）やレギュラーボーナス（ＲＢ）などのボーナス役の入賞が得られると短時間で大量のメダルが獲得できる遊技モードに移行する。このため、遊技者はボーナス役の入賞が得られることを期待しながら遊技を行うが、ボーナス役の入賞発生確率は遊技機内部のマイクロコンピュータによって管理され、毎回のゲーム毎に実行される電子抽選で当選しないと得られないようになっている。
【０００４】
ところで、遊技場の一日の売上げは、その日の開店時からたくさんの客を集められるか否かで大きく左右されることが多い。そこで一部の遊技場では、前日の閉店後から翌日の開店までの間に店員が遊技機を操作し、開店直後の遊技でボーナス役の入賞が得易い状態に遊技機を調整することがしばしば行われている。この調整のために、遊技機の回路基板に打込み機と称される器具を接続し、自動的に電子抽選を繰り返してボーナス役を成立させておくことも行われ、開店直後に入店した遊技者は容易にボーナス役の入賞を得ることができるようになる。しかしながら、客に因らずしてボーナス役が成立した状態を作り出すこれらの行為は、風俗営業等の規制及び業務の適正化に関する法律（以下、「風適法」という。）に違反した犯罪行為である。
【０００５】
このような犯罪行為を未然に防ぐため、以前から、打込み機などの接続を前提に回路基板上のレセプタクルからプラグを抜脱する行為を防止する抜脱防止機構を備えたコネクタが存在する（例えば、特許文献１，２参照）。
【０００６】
しかしながら、依然として上記犯罪行為が跡を絶たないことから、その対策として、平成１６年に施行された改正風適法施行規則において、回路基板に手を加えると痕跡が残る構造とするなどの不正対策が遊技機メーカに義務付けられ、犯罪行為の防止が強化された。これを契機に、プラグを回路基板上のレセプタクルから抜脱する行為を防止する抜脱防止機構を備えたコネクタが続々と提案されている（例えば、特許文献３，４参照）。これらの抜脱防止機構を備えたコネクタは、プラグを回路基板上のレセプタクルに抜脱不能に固定する構成となっており、仮にプラグが抜脱された場合には、回路基板やその収納ケースに痕跡が残るようになっている。
【特許文献１】特開２０００−２３７３８７号公報
【特許文献２】特開２００２−３１５８８１号公報
【特許文献３】特開２００６−１３０２２９号公報
【特許文献４】特開２００６−１８１０３１号公報
【発明の開示】
【発明が解決しようとする課題】
【０００７】
しかしながら、特許文献１の抜脱防止機構を備えたコネクタは、抜脱を防止するためのフックがプラグ側に設けられており、収納ケースに生じる隙間を介してフックが操作され、プラグが抜脱されることも考えられる。
【０００８】
また、特許文献２〜４の抜脱防止機構を備えたコネクタは、別途部品を必要とし、コストが掛かる。
【０００９】
本発明は、上記課題を解決するためになされたものであり、プラグが回路基板上のレセプタクルから抜脱されることを防止し、且つ、収納ケースの封印を破壊するなどしてプラグが抜脱されたとしてもその痕跡を残すことができるプラグの抜脱防止機構を提供することを目的とする。
【課題を解決するための手段】
【００１０】
上記目的を達成するために、本発明のプラグの抜脱防止機構は、封印された収納ケース内の回路基板に設けられたレセプタクルに、収納ケースの表面に形成された差込み開口を介して差し込まれたプラグが、レセプタクルから抜脱されることを防止するプラグの抜脱防止機構であって、プラグの側面には、係止部が形成され、レセプタクルには、差し込まれたプラグの係止部と係止するロック部材が設けられており、ロック部材は、収納ケース内に位置することを特徴とする。
【００１１】
なお、プラグには、レセプタクルと接続される端子側の反対側に、差込み開口の少なくとも一部を塞ぐ封止部が形成されていることが好ましい。
【００１２】
また、封止部は、係止部が形成された側面の側に形成されていることが好ましい。
【発明の効果】
【００１３】
本発明のプラグの抜脱防止機構は、封印された収納ケース内の回路基板に設けられたレセプタクルに、ロック部材が設けられ、収納ケースの表面に形成される差込み開口を介して差し込まれるプラグに、ロック部材と係止する係止部が形成されていることより、収納ケースの封印を破壊するなどしない限り、ロック部材と係止部との係止を解除することはできないので、痕跡を残さずにプラグが抜脱されることはなく、打込み機などを使用した不正行為を防止することができる。
【発明を実施するための最良の形態】
【００１４】
図１に示すように、第１実施形態のスロットマシン２は、収納箱４と、この収納箱４の前面に設けられた前面扉５とからなる筐体３の内部に、後述する第１リール１０、第２リール１１、第３リール１２、電源装置３５（図２参照）、ホッパー装置３６（図２参照）などが配設された構成である。
【００１５】
前面扉５は、上部扉６と下部扉７との２枚の扉から構成される。上部扉６には、表示窓８が設けられている。この表示窓８の奥には、第１リール１０、第２リール１１、第３リール１２が配設されている。周知のように、第１リール１０、第２リール１１、第３リール１２の外周面には、例えば、複数種類の図柄が複数個配列されている。第１リール１０、第２リール１１、第３リール１２が停止すると、第１リール１０、第２リール１１、第３リール１２の図柄が各３個、つまり合計９個、表示窓８から表示される。
【００１６】
下部扉７の上部には、遊技の開始時に操作される１枚ベットボタン２０、ＭＡＸベットボタン２１、ペイアウトボタン２２などの各種の操作ボタンが設けられている。
【００１７】
１枚ベットボタン２０は、投入されたメダルを１枚使用して遊技を行う場合に押圧操作されるボタンである。ＭＡＸベットボタン２１は、投入されたメダルを最大使用枚数（例えば、３枚）使用して遊技を行う場合に押圧操作されるボタンである。なお、メダルの投入とは、メダル投入口２８から直接メダルを投入する他に、クレジットされたメダルがある場合に、１枚ベットボタン２０やＭＡＸベットボタン２１を押圧操作することも含む。
【００１８】
これらの近傍には、スタートレバー２３や、第１ストップボタン２５、第２ストップボタン２６、第３ストップボタン２７が設けられている。スタートレバー２３は、遊技を実行する際に操作される。第１ストップボタン２５は、回転する第１リール１０を停止させる際に押圧操作されるボタンである。同様にして、第２ストップボタン２６、第３ストップボタン２７は、回転する第２リール１１、第３リール１２をそれぞれ停止させる際に押圧操作されるボタンである。
【００１９】
また、下部扉７には、遊技を行う際にメダルを投入するためのメダル投入口２８が設けられている。メダル投入口２８の奥にはセレクタが組み込まれ、不適正なメダルはメダル払出口２９を介してメダル受け皿３０に排出される。また、セレクタは、例えば遊技の途中や各種の操作ボタンが押されたままの状態で投入された等の不適切なタイミングでメダルの投入が行われたときに、投入されたメダルをメダル受け皿３０に排出する。なお、遊技の開始に先立って投入するメダルの枚数は１〜３枚に限られているため、クレジット機能を用いていないときには４枚目以降に投入されたメダルはメダル受け皿３０に排出される。
【００２０】
一方、クレジット機能がオン状態のときには４枚目以降に投入されたメダルは、セレクタに設けられたメダルセンサ（図示せず）で検知された後、例えば５０枚を限度にスロットマシン２の内部に貯留される。このクレジット機能を用いているときには、上述した１枚ベットボタン２０やＭＡＸベットボタン２１の操作によりメダルの投入操作が行われ、そのベット枚数がクレジット枚数から逐次減算される。また、遊技の結果、入賞が得られたときには配当となるメダルもクレジットされ、ペイアウトボタン２２を操作したときにクレジットされているメダルがメダル受け皿３０に払い出される。
【００２１】
図２に示すように、筐体３を構成する収納箱４の内部には、電源装置３５、ホッパー装置３６、第１リール１０、第２リール１１、第３リール１２を備えたリールユニット３７などが組み付けられる。なお、図２では、図の煩雑さを防止するために、第１リール１０、第２リール１１、第３リール１２の外周に配置される複数の図柄を省略してある。電源装置３５は、スロットマシン２の電力を供給するためのものである。
【００２２】
ホッパー装置３６は、収納箱４の下部に設けられている。ホッパー装置３６は、このスロットマシン２で遊技を行って入賞を得た場合に作動し、入賞に対するメダルを連続してメダル受け皿３０に払い出す。このホッパー装置３６の上部には、払出し用のメダルを貯留する貯留タンク３８が設けられている。この貯留タンク３８には、メダル投入口２８から投入されたメダルが貯留される。オーバーフロー用の貯留箱３９は、ホッパー装置３６の貯留タンク３８に貯留されたメダルが所定量を超えたときに、貯留タンク３８から排出されたメダルが貯留される。
【００２３】
この収納箱４の内部で、その上部には、基板収納ケース４１が配設されている。図３に示すように、基板収納ケース４１は、上ケース４２及び下ケース４３とから構成され、それぞれが透明な合成樹脂によって形成され、その内部に遊技制御回路基板（回路基板）４４が収納される。また、基板収納ケース４１は、開放されることのないよう封印されている。
【００２４】
上ケース４２は、底面が開口された略扁平箱型状である。この上ケース４２の上面には、プラグ７０（図４参照）をレセプタクル６５に差し込むための開口（差込み開口）４５が、長手方向に沿って、例えば３箇所に設けられている。開口４５にプラグ７０を差し込むことで、プラグ７０をレセプタクル６５に差し込むことができる。
【００２５】
開口４５は、差し込まれるプラグ７０と略同じサイズであり、プラグ７０が差し込まれたときに隙間が生じ難くなっている。また、開口４５の縁には、プラグ７０に一体成型された係止突起７０ａ（図４参照）がプラグ７０の差込みの際に引っ掛かることを防止する切欠き４５ａ、が形成されている。
【００２６】
下ケース４３は、上面が開口された略扁平箱型形状である。この下ケース４３の底面４３ａには、基板支持部５３が３箇所に設けられている。この基板支持部５３は、遊技制御回路基板４４に設けられたレセプタクル６５にプラグ７０（図４参照）が差し込まれる際に、遊技制御回路基板４４を下面から支持することで、遊技制御回路基板４４が下方に撓むことによる遊技制御回路基板４４の破損を防止する。
【００２７】
遊技制御回路基板４４は、回路パターンが設けられた基板６０上にＣＰＵ（Central Processing Unit）６１、ＲＯＭ（Read Only Memory）６２、ＲＡＭ（Random Access Memory）６３等の回路構成部品が組み付けられることによって形成された制御回路を有している。また、この他に、他の制御回路基板や、電源装置３５等のスロットマシン２を構成する他の装置と、電気的に接続するための基板端子を保持するレセプタクル６５が配設されている。レセプタクル６５は、上部が開口した箱型形状であり、図４に示すように、例えばケーブル７５の一端に保持されるプラグ７０が差し込まれ、接続される。プラグ７０には、係止突起（係止部）７０ａと封止部７０ｂとが側面に一体成型され、底面に接続端子（図示せず）が設けられている。係止突起７０ａは、プラグ７０側面の略中央に位置し、プラグ７０がレセプタクル６５に差し込まれたときに、レセプタクル６５のフック６６の係止爪６６ｃ（図３参照）と係止する。封止部７０ｂは、係止突起７０ａの上方に形成され、プラグ７０が差し込まれた際に、開口４５の縁の切欠き４５ａを塞ぐ。なお、プラグ７０がレセプタクル６５に差し込まれたとき、プラグ７０の上面と上ケース４２の上面との高さが略一致する。
【００２８】
図３に示すように、レセプタクル６５の外側面には、フック（ロック部材）６６が設けられている。フック６６は、レセプタクル６５と対面する鉛直方向に延びたアーム部６６ａと、アーム部６６ａの下端をレセプタクル６５に連結する支持部６６ｂと、アーム部６６ａ上端に形成された係止爪６６ｃとから構成される。係止爪６６ｃは、プラグ７０がレセプタクル６５に差し込まれたときに、プラグ７０の係止突起７０ａ（図４参照）と係止する。
【００２９】
図５に示すように、プラグ７０を開口４５に差し込む。図６に示すように、プラグ７０の係止突起７０ａは、開口４５（図５参照）の縁の切欠き４５ａに挿通する。プラグ７０はレセプタクル６５に差し込まれ、図７に示すように、フック６６の係止爪６６ｃがプラグ７０の係止突起７０ａに摺接して乗り上げることでフック６６が撓む。その後、プラグ７０のレセプタクル６５への差込みが完了すると、図８に示すように、フック６６の係止爪６６ｃがプラグ７０の係止突起７０ａを乗り越えて、フック６６が元の状態に復帰する。プラグ７０を差し込むときのプラグ７０の係止突起７０ａの移動軌跡上に、フック６６の係止爪６６ｃが位置することになり、プラグ７０の係止突起７０ａとフック６６の係止爪６６ｃとが係止することになる。この時、プラグ７０の上面と上ケース４２の上面との高さが略一致する。また、プラグ７０の封止部７０ｂが開口４５の縁の切欠き４５ａに嵌合し、開口４５に隙間は生じない。これにより、基板収納ケース４１の外部から係止突起７０ａ及び係止爪６６ｃによる係止状態を解除することはできず、プラグ７０がレセプタクル６５から抜脱されることはない。
【００３０】
なお、上記第１実施形態のスロットマシン２において、レセプタクル６５に、差し込まれたプラグ７０の係止突起７０ａと係止する係止爪６６ｃ、を形成するフック６６が一体成型されている場合を例に説明したが、これに限定されるのではない。第２実施形態のスロットマシン２においては、レセプタクル８０に、差し込まれたプラグ７０の係止突起（係止部材）７０ａと係止する係止爪８１ｂ、を形成するフック（ロック部材）８１がコイルばね８２を介して取り付けられている（図９参照）。以下、さらに詳しく説明する。
【００３１】
図９に示すように、第２実施形態のスロットマシン２（図２参照）の基板収納ケース４１は、上ケース４２及び下ケース４３とから構成され、開放されることのないよう封印されている。上ケース４２は、底面が開口された略扁平箱型状である。この上ケース４２の上面には、プラグ７０（図１０参照）をレセプタクル８０に差し込むための開口４５が、長手方向に沿って、例えば３箇所に設けられている。開口４５にプラグ７０を差し込むことで、プラグ７０をレセプタクル８０に差し込むことができる。
【００３２】
下ケース４３の底面４３ａに設けられる基板支持部５３は、遊技制御回路４４に設けられたレセプタクル８０にプラグ７０（図１０参照）が差し込まれる際に、遊技制御回路基板４４を下面から支持することで、遊技制御回路基板４４が下方に撓むことによる遊技制御回路基板４４の破損を防止する。
【００３３】
基板収納ケース４１の内部には、遊技制御回路基板４４が収納される。遊技制御回路基板４４には、レセプタクル８０などが配設されている。レセプタクル８０は、上部が開口した箱型形状であり、図１０に示すように、例えばケーブル７５の一端に保持されるプラグ７０が差し込まれ、接続される。プラグ７０の側面中央に一体成型された係止突起７０ａは、プラグ７０がレセプタクル８０に差し込まれたときに、レセプタクル８０に取り付けられたフック８１、の係止爪８１ｂ（図９参照）と係止する。なお、プラグ７０がレセプタクル８０に差し込まれたとき、プラグ７０の上面と上ケース４２の上面との高さが略一致する。
【００３４】
図９に示すように、レセプタクル８０の側面には、係止ポケット８５が形成されている。係止ポケット８５は、外側に向かって膨らんだ、レセプタクル８０上部の開口から延びた形状である。プラグ７０のレセプタクル８０への差し込みの際、係止ポケット８５には、プラグ７０の係止突起７０ａ（図１０参照）が挿通する。また、係止ポケット８５の側壁には、挿通孔８５ａが形成されている。挿通孔８５ａには、レセプタクル８０の外側からフック８１の係止爪８１ｂが挿通される。フック８１は、レセプタクル８０と対面するフック本体８１ａと、フック本体８１ａからレセプタクル８０に向かって突出する係止爪８１ｂとから構成される。フック８１は、フック本体８１ａの四隅に配設されるコイルばね８２を介してレセプタクル８０に取り付けられ、係止爪８１ｂが挿通孔８５ａに挿通する。係止爪８１ｂは、その先端部が係止ポケット８５内に突出しており、プラグ７０がレセプタクル８０に差し込まれたときに、プラグ７０の係止突起７０ａと係止する。
【００３５】
図１１に示すように、プラグ７０を開口４５に差し込む。図１２に示すように、プラグ７０の係止突起７０ａは、開口４５（図１１参照）の縁の切欠き４５ａに挿通する。プラグ７０はレセプタクル８０に差し込まれ、図１３に示すように、フック８１の係止爪８１ｂがプラグ７０の係止突起７０ａに摺接して乗り上げることでフック８１が押圧される。フック８１が押圧されることでコイルばね８２は伸長され、縮退する方向に付勢する。その後、プラグ７０のレセプタクル８０への差込みが完了すると、図１４に示すように、フック８１の係止爪８１ｂがプラグ７０の係止突起７０ａを乗り越えてコイルばね８２の付勢が解除され、コイルばね８２が縮退してフック８１が元の状態に復帰する。プラグ７０を差し込むときのプラグ７０の係止突起７０ａの移動軌跡上に、フック８１の係止爪８１ｂが位置することになり、プラグ７０の係止突起７０ａとフック８１の係止爪８１ｂとが係止することになる。この時、プラグ７０の上面と上ケース４２の上面との高さが略一致する。また、プラグ７０の封止部７０ｂが開口４５の縁の切欠き４５ａに嵌合し、開口４５に隙間は生じない。これにより、基板収納ケース４１の外部から係止突起７０ａ及び係止爪８１ｂによる係止状態を解除することはできず、プラグ７０がレセプタクル８０から抜脱されることはない。なお、第１実施形態のスロットマシン２と同じ構成については、同一の符号を付して詳細な説明は省略する。
【００３６】
なお、上記第１及び第２実施形態において、開口４５の縁に、プラグ７０に一体成型された係止突起７０ａが引っ掛かることを防止する切欠き４５ａ、が形成されている場合を例に説明したが、これに限定されるのではなく、切欠き４５ａが形成されていなくても良い。この場合、プラグ７０が開口４５に差し込まれる際に、プラグ７０の係止突起７０ａが開口４５の縁に摺接することで開口４５が拡開する構成とし、プラグ７０の係止突起７０ａが引っ掛かることはない。また、開口４５の縁に切欠き４５ａが形成されていないので、プラグ７０は、切欠き４５ａを塞ぐための封止部７０ｂを形成しない。
【００３７】
また、上記第１及び第２実施形態のスロットマシン２において、プラグ７０には、側面に係止突起７０ａが一体成型されている場合を例に説明したが、これに限定されるのではない。第３及び第４実施形態のスロットマシン２においては、プラグ９０には、側面に凹となる係止溝（係止部）９０ａが形成されている（図１５、図１８参照）。また、プラグ９０の側面に係止突起７０ａ（図４、図１０参照）が一体成型されていないので、開口９５の縁には、切欠き４５ａ（図４、図１０参照）が形成されていない。さらに、開口９５の縁に切欠き４５ａが形成されていないので、プラグ９０には、封止部７０ｂ（図４、図１０参照）が一体成型されていない。
【００３８】
図１５に示すように、第３実施形態のスロットマシン２（図２参照）の基板収納ケース４１は、上ケース４２及び下ケース４３とから構成され、開放されることのないよう封印されている。上ケース４２は、底面が開口された略扁平箱型状である。この上ケース４２の上面には、プラグ９０をレセプタクル１００に差し込むための開口９５が、長手方向に沿って設けられている。開口９５にプラグ９０を差し込むことで、プラグ９０をレセプタクル１００に差し込むことができる。
【００３９】
下ケース４３の底面４３ａに設けられる基板支持部５３は、遊技制御回路４４に設けられたレセプタクル１００にプラグ９０が差し込まれる際に、遊技制御回路基板４４を下面から支持することで、遊技制御回路基板４４が下方に撓むことによる遊技制御回路基板４４の破損を防止する。
【００４０】
基板収納ケース４１の内部には、遊技制御回路基板４４が収納される。遊技制御回路基板４４には、レセプタクル１００などが配設されている。レセプタクル１００は、上部が開口した箱型形状であり、例えば、ケーブル７５の一端に保持されるプラグ９０が差し込まれ、接続される。プラグ９０の側面に形成された係止溝９０ａは、プラグ９０が差し込まれたときに、レセプタクル１００に取り付けられたフック１０１の係止爪１０１ｂと係止する。
【００４１】
レセプタクル１００の外側面には、フック（ロック部材）１０１が設けられている。フック１０１は、レセプタクル１００と対面する鉛直方向に延びたアーム部１０１ａと、アーム部１０１ａの下端をレセプタクル１００に連結する支持部１０１ｂと、アーム部１０１ａ上端に形成された係止爪１０１ｃとから構成される。係止爪１０１ｃは、プラグ９０がレセプタクル１００に差し込まれたときに、プラグ９０の係止突起９０ａと係止する。
【００４２】
プラグ９０を開口９５に差し込む。図１６に示すように、フック１０１の係止爪１０１ｃがプラグ９０の側面下端に摺接して乗り上げることでフック１０１が撓む。その後、プラグ９０のレセプタクル１００への差込みが完了すると、図１７に示すように、フック１０１が元の状態に復帰する。プラグ９０を差し込むときの移動軌跡上に、フック１０１の係止爪１０１ｃが位置することになり、プラグ９０の係止溝９０ａとフック１０１の係止爪１０１ｃとが係止することになる。この時、プラグ９０の上面と上ケース４２の上面との高さが略一致する。これにより、基板収納ケース４１の外部から係止溝９０ａ及び係止爪１０１ｃによる係止状態を解除することはできず、プラグ９０がレセプタクル１００から抜脱されることはない。
【００４３】
また、図１８に示すように、第４実施形態のスロットマシン２（図２参照）の基板収納ケース４１は、上ケース４２及び下ケース４３とから構成され、開放されることのないよう封印されている。上ケース４２は、底面が開口された略扁平箱型状である。この上ケース４２の上面には、プラグ９０をレセプタクル１０５に差し込むための開口９５が、長手方向に沿って設けられている。開口９５にプラグ９０を差し込むことで、プラグ９０をレセプタクル１０５に差し込むことができる。
【００４４】
下ケース４３の底面４３ａに設けられる基板支持部５３は、遊技制御回路４４に設けられたレセプタクル１０５にプラグ９０が差し込まれる際に、遊技制御回路基板４４を下面から支持することで、遊技制御回路基板４４が下方に撓むことによる遊技制御回路基板４４の破損を防止する。
【００４５】
基板収納ケース４１の内部には、遊技制御回路基板４４が収納される。遊技制御回路基板４４には、レセプタクル１０５などが配設されている。レセプタクル１０５は、上部が開口した箱型形状であり、例えば、ケーブル７５の一端に保持されるプラグ９０が差し込まれ、接続される。プラグ９０の側面に形成された係止溝９０ａは、プラグ９０が差し込まれたときに、レセプタクル１０５に取り付けられたフック１０６、の係止爪１０６ｂと係止する。
【００４６】
レセプタクル１０５の側面には、挿通孔（図示せず）が形成されている。挿通孔には、レセプタクル１０５の外側からフック１０６の係止爪１０６ｂが挿通される。フック１０６は、レセプタクル１０５と対面するフック本体１０６ａと、フック本体１０６ａからレセプタクル１０５に向かって突出する係止爪１０６ｂとから構成される。フック１０６は、フック本体１０６ａの四隅に配設されるコイルばね８２を介してレセプタクル１０５に取り付けられ、係止爪１０６ｂが挿通孔に挿通する。係止爪１０６ｂは、その先端部がレセプタクル１０５内部に突出しており、プラグ９０がレセプタクル１０５に差し込まれたときに、プラグ９０の係止溝９０ａと係止する。
【００４７】
プラグ９０を開口９５に差し込む。図１９に示すように、フック１０６の係止爪１０６ｂがプラグ９０の側面下端に摺接して乗り上げることでフック１０６が押圧される。フック１０６が押圧されることでコイルばね８２は伸長され、縮退する方向に付勢する。その後、プラグ９０のレセプタクル１０５への差込みが完了すると、図２０に示すように、コイルばね８２の付勢が解除され、コイルばね８２が縮退してフック１０６が元の状態に復帰する。プラグ９０を差し込むときの移動軌跡上に、フック１０６の係止爪１０６ｂが位置することになり、プラグ９０の係止溝９０ａとフック１０６の係止爪１０６ｂとが係止することになる。この時、プラグ９０の上面と上ケース４２の上面との高さが略一致する。これにより、基板収納ケース４１の外部から係止溝９０ａ及び係止爪１０６ｂによる係止状態を解除することはできず、プラグ９０がレセプタクル１０５から抜脱されることはない。
【００４８】
なお、上記各実施形態において、スロットマシン２に用いられるプラグ７０，９０の場合を例に説明したが、これに限定されるのではなく、パチンコ機、その他の遊技機などにも応用可能である。
【００４９】
また、上記各実施形態において、プラグ７０，９０がレセプタクル６５，８０，１００，１０５に差し込まれたとき、プラグ７０，９０の上面と上ケース４２の上面との高さが略一致する場合を例に説明したが、これに限定されるのではない。プラグ７０，９０が開口４５，９５から突出していても、開口４５，９５に隙間は生じない。
【００５０】
また、上記各実施形態において、開口４５，９５が、差し込まれるプラグ７０，９０と略同じサイズである場合を例に説明したが、開口４５，９５が、プラグ７０，９０より大きいサイズであっても良い。この場合、プラグ７０，９０には、開口４５，９５よりサイズの大きい封止部がケーブル７５を保持する側に形成されていることが好まれる。その封止部が、開口４５，９５に嵌合することで、或いは開口４５，９５の上方を覆うことで、プラグ７０，９０の差し込まれた開口４５，９５に隙間が生じることはない。
【図面の簡単な説明】
【００５１】
【図１】スロットマシンの外観斜視図である。
【図２】スロットマシン内部の構成を示す斜視図である。
【図３】遊技制御回路基板と、これを収納する収納ケースの構成を示す分解斜視図である。
【図４】レセプタクルとプラグとの接続状態を示す外観斜視図である。
【図５】レセプタクルとプラグとの非接続状態を示す横断面図である。
【図６】レセプタクルとプラグとの接続する過程を示す横断面図である。
【図７】レセプタクルとプラグとの接続する過程を示す横断面図である。
【図８】レセプタクルとプラグとの接続状態を示す横断面図である。
【図９】遊技制御回路基板と、これを収納する収納ケースの構成を示す分解斜視図である。
【図１０】レセプタクルとプラグとの接続状態を示す一部破断外観斜視図である。
【図１１】レセプタクルとプラグとの非接続状態を示す横断面図である。
【図１２】レセプタクルとプラグとの接続する過程を示す横断面図である。
【図１３】レセプタクルとプラグとの接続する過程を示す横断面図である。
【図１４】レセプタクルとプラグとの接続状態を示す横断面図である。
【図１５】レセプタクルとプラグとの非接続状態を示す横断面図である。
【図１６】レセプタクルとプラグとの接続する過程を示す横断面図である。
【図１７】レセプタクルとプラグとの接続状態を示す横断面図である。
【図１８】レセプタクルとプラグとの非接続状態を示す横断面図である。
【図１９】レセプタクルとプラグとの接続する過程を示す横断面図である。
【図２０】レセプタクルとプラグとの接続状態を示す横断面図である。
【符号の説明】
【００５２】
４１  基板収納ケース
４２  上ケース
４３  下ケース
４４  遊技制御回路基板
４５，９５  開口
４５ａ  切欠き
６０  基板
６５，８０，１００，１０５  レセプタクル
６６，８１，１０１，１０６  フック（ロック部材）
６６ａ，１０１ａ  アーム部
６６ｂ，１０１ｂ  支持部
６６ｃ，８１ｂ，１０１ｃ，１０６ｂ  係止爪
７０，９０  プラグ
７０ａ  係止突起（係止部）
７０ｂ  封止部
７５  ケーブル
８１ａ，１０６ａ  フック本体
８２  コイルばね
８５  係止ポケット
８５ａ  挿通孔
９０ａ  係止溝（係止部）
【図１】
2008176963.tif 000003
【図２】
2008176963.tif 000004
【図３】
2008176963.tif 000005
【図４】
2008176963.tif 000006
【図５】
2008176963.tif 000007
【図６】
2008176963.tif 000008
【図７】
2008176963.tif 000009
【図８】
2008176963.tif 000010
【図９】
2008176963.tif 000011
【図１０】
2008176963.tif 000012
【図１１】
2008176963.tif 000013
【図１２】
2008176963.tif 000014
【図１３】
2008176963.tif 000015
【図１４】
2008176963.tif 000016
【図１５】
2008176963.tif 000017
【図１６】
2008176963.tif 000018
【図１７】
2008176963.tif 000019
【図１８】
2008176963.tif 000020
【図１９】
2008176963.tif 000021
【図２０】
2008176963.tif 000022